(57)【要約】【課題】表示画面を邪魔したり、不要な表示画面を新たに設けずかつ、プラズマテレビジョンの厚みの薄さを阻害しない構成でホワイトバランス調整を自動で行うプラズマテレビジョンの提供を課題とする。【解決手段】ホワイトバランス調整用映像を生成するホワイトバランス調整映像生成回路と、ホワイトバランス調整を行うホワイトバランス調整回路とを有し、上記ホワイトバランス調整用映像が表示されたプラズマディスプレイパネルを色センサーで後方から撮影し、上記撮影されたホワイトバランス調整用映像を基にホワイトバランス調整を行う。【選択図】図６
2008042637.tif 000002
【特許請求の範囲】
【請求項１】
映像表示面とその裏面からも発光状態を視認可能なガラス基板にて形成されるとともに、上記ガラス基板の背面の全面を金属製のフレームにて覆われたプラズマディスプレイパネルと、
音声を出力するスピーカと、
入力されたビデオ信号に基づいて、映像を上記プラズマディスプレイパネルに表示させるとともに音声を上記スピーカより出力する信号回路と、
上記プラズマディスプレイパネルとスピーカと信号回路とを収容するキャビネットとを有するプラズマテレビジョンにおいて、
ホワイトバランス調整用の映像であるホワイトバランス調整画面を生成するホワイトバランス調整画面生成回路と、
上記ガラス基板を背面を覆う上記フレームの一部に形成された開口にて上記ホワイトバランス調整画面が表示された上記ガラス基板を背面から撮影するよう取り付けられた色センサーと、
上記色センサーが上記プラズマディスプレイパネルの背面から撮影したホワイトバランス調整画面の映像信号を上記プラズマディスプレイパネルの表示面側から撮影されたホワイトバランス調整画面の映像特性と近似するよう変更を行うホワイトバランス変換回路と、
上記ホワイトバランス変換回路が補正した後の映像信号を予め設定されたホワイトバランスに変換するための係数を算出する入出力関係特定部と、
上記入出力関係特定部が算出した係数を用いて、上記プラズマディスプレイパネルにおける映像表示側での色温度を所望の値となるように上記映像信号のホワイトバランスを調整するホワイトバランス調整回路とを有し、
上記ホワイトバランス調整回路でのホワイトバランス調整は、累積使用時間計測部にて当該プラズマテレビジョンの使用が所定の累積使用時間に達するかを判定し、上記累積使用時間計測部が計測した累積使用時間が所定の値に達した場合は、当該プラズマテレビジョンの電源を切る際、上記ホワイトバランス調整画面生成回路がホワイトバランス調整画面を生成して画面に表示するとともに、上記色センサーが上記ホワイトバランス調整画面を撮影し、さらに当該プラズマテレビジョンの電源を入力すると、上記撮影されたホワイトバランス調整画面に基づいて実行するものであって、
さらに、上記信号回路は上記色センサーが撮影した部屋の明るさに対応するＲＧＢの映像信号の各階調相当値を基に輝度を算定する輝度算定回路を有し、
上記算定した部屋の明るさに対応する輝度相当値が所定のしきい値以下ならば、注意を表示することを特徴とするプラズマテレビジョン。
【請求項２】
映像表示面とその裏面からも発光状態を視認可能なガラス基板にて形成されるとともに、上記ガラス基板の背面の全面をフレームにて覆われたプラズマディスプレイパネルと、  入力されるビデオ信号に基づいて、映像を上記プラズマディスプレイパネルに表示させる信号回路と、
上記プラズマディスプレイパネルと信号回路とを収容するキャビネットとを有するプラズマディスプレイ装置において、
上記プラズマディスプレイパネルに表示させるホワイトバランス調整画面の映像信号を生成するホワイトバランス調整画面生成手段と、
上記ガラス基板を覆う上記フレームの一部には開口が形成され、上記ホワイトバランス調整画面が表示された上記ガラス基板を背面側の上記開口から撮影するよう配置された色センサーと、
上記色センサーが撮影した映像に基づき上記プラズマディスプレイパネルにおける前面側での色温度を所望の値となるようにホワイトバランスを調整するホワイトバランス調整手段とを有し、
上記色センサーが撮影した上記プラズマディスプレイパネルの背面に表示されたホワイトバランス調整画面を基にホワイトバランスを調整することを特徴とするプラズマディスプレイ装置。
【請求項３】
上記信号回路は、上記色センサーが上記プラズマディスプレイパネルの背面から撮影したホワイトバランス調整画面の映像信号を上記プラズマディスプレイパネルの表示面側から撮影されたホワイトバランス調整画面の映像特性と近似するよう変更を行うホワイトバランス変換手段と、
上記ホワイトバランス変換回路が補正した後の映像信号のホワイトバランスを予め設定された値に変換するための係数を算出する入出力関係特定手段とを有し、
上記ホワイトバランス調整手段は、上記入出力関係特定手段が特定した係数を用いて、上記映像信号のホワイトバランスを調整することを特徴とする請求項２に記載のプラズマディスプレイ装置。
【請求項４】
上記ホワイトバランス調整手段は、当該プラズマディスプレイ装置の電源を切ると画面上に上記ホワイトバランス調整画面を表示するとともに、上記色センサーが上記ホワイトバランス調整画面生成手段が生成するホワイトバランス調整画面を撮影し、電源を入力すると、上記撮影されたホワイトバランス調整画面に基づいてホワイトバランス調整を行うことを特徴とする請求項２または請求項３のいずれかに記載のプラズマディスプレイ装置。
【請求項５】
当該プラズマディスプレイ装置は、電源の入力回数をカウントするカウント手段を有し、
上記ホワイトバランス調整手段によるホワイトバランス調整は、上記カウント手段がカウントするカウント数が所定の回数に達したら実行されることを特徴とする請求項２〜請求項４のいずれかに記載のプラズマディスプレイ装置。
【請求項６】
当該プラズマディスプレイ装置は、累積使用時間を計測する累積使用時間計測手段を有し、
上記ホワイトバランス調整手段によるホワイトバランス調整は、上記累積使用時間計測手段による計測された値が所定の累積時間に達したら実行されることを特徴とする請求項２〜請求項５のいずれかに記載のプラズマディスプレイ装置。
【請求項７】
上記信号回路は上記色センサーが撮影した部屋の明るさに対応するＲＧＢの映像信号の各階調相当値を基に輝度を算定する輝度算定手段を有し、
上記算定した部屋の明るさに対応する輝度相当値が所定のしきい値以下ならば、注意を表示することを特徴とする請求項２〜請求項６のいずれかに記載のプラズマディスプレイ装置。
【発明の詳細な説明】
【技術分野】
【０００１】
本発明は、プラズマディスプレイ装置に関し、特に、ホワイトバランス調整を実行するプラズマディスプレイ装置、および上記プラズマディスプレイ装置を使用するプラズマテレビジョンに関する。
【背景技術】
【０００２】
プラズマディスプレイ装置は液晶ディスプレイ装置と並び、厚みの薄さや消費電力の少なさから需要が拡大し、生産数は増加している。生産したプラズマディスプレイ装置を工場から出荷する場合、出荷前調整として様々な調整が行われる。上記調整の一つとしてホワイトバランス調整が上げられる。ホワイトバランス調整とはプラズマディスプレイパネルに白色の画面を表示させたときに実物の白色とプラズマディスプレイパネルに表示された白色が同様になるよう色の調整を行うことである。色は反射させる光源の色合いに影響されるため、人の目に白色に映るものでもプラズマディスプレイに表示させた色は異なる場合がある。そのため、実際は白っぽく見える物でもプラズマディスプレイパネルに表示させると、青みがかったり赤みがかったりする。上記色の変化を改善するために、色温度を用いてホワイトバランス調整を行う。
【０００３】
色温度とは、光の色を数値で表したものであり、単位はＫ（ケルビン）を使用する。また、色温度は光自体の温度ではなく、光の色を人間の目に見える感覚に置き換えて表した数値のことである。色温度が低いと赤みが増した色となり、反対に色温度が高いと青みが増した色となる。
【０００４】
プラズマディスプレイ装置に用いられる色の階調表現はＲＧＢの三色を用いて表現され、白色を表現する場合はＲＧＢの三色を同じ割合で配合する。このため、ホワイトバランス調整は通常ＲとＢの両方の配合に占める割合を調整することで実施される。
【０００５】
以上説明したように、工場出荷時の検査においてホワイトバランス調整を行う場合、図１３に示すように色センサー３４と、カラーアナライザー４４と、コンピュータ４５と、信号源４６を使用し、信号源から出力された一面白色の画面をプラズマディスプレイパネル１９に表示させ、上記表示させた画面をＣＣＤ等の色センサー３４で測定する。
【０００６】
このとき、表示される白色の画面は略２０パーセントと略７５パーセントの白色であり、これは、例えばＲＧＢの各階調が２５６階調で表現される場合、略２０パーセントの白色はＲＧＢの各階調が略５１番目（２５６×０．２）の階調で配合された白色であり、同様に略７５パーセントの白色は略１９２番目（２５６×０．７５）の階調で配合された白色である。
【０００７】
センサーで測定された画像は、カラーアナライザー４４に出力されそこで色の階調のパーセンテージが測定される。カラーアナライザー４４は測定した値をコンピュータに出力する。コンピュータ４５は上記測定値をうけて、プラズマディスプレイパネル１９に表示されている画像のＲとＢを調整する。
【０００８】
また、ホワイトバランスの崩れは、経年劣化によってプラズマディスプレイパネル自体が劣化する場合にも発生する。その場合は、プラズマディスプレイ装置１を一度回収し、上記のような装置を用いて再調整し直す必要があり、ユーザに多大な煩わしさを必要とさせていた。
【０００９】
上記のような、ホワイトバランスを調整する方法として、プラズマディスプレイパネル１９の画像表示部にＲＧＢの各階調を測定する色センサー３４を付着形成し、上記測定されたＲＧＢの各階調を用いてホワイトバランス調整を行う方法が知られている（例えば、特許文献１を参照。）。
【００１０】
また、プラズマディスプレイパネル１９の画面表示部の下に発光部を形成し、上記発光部にて表示された画像を前面よりセンサーを用いて測定することによりホワイトバランス調整を実行する方法が知られている（例えば、特許文献２を参照。）。
【特許文献１】特開平０８−００９４１５号
【特許文献２】特開２０００−１１５８０１号
【発明の開示】
【発明が解決しようとする課題】
【００１１】
上述した特許文献１にかかる発明は次のような問題があった。つまり、ＲＧＢの階調を測定するセンサーはプラズマディスプレイパネルの表側に付着形成されるため、表示画面に画面を表示する際センサーは画面の邪魔となる。また、上記センサーを取り外した場合は、普段はセンサーが取り外されることで機能していないため自動でホワイトバランスを調整することが不可能であった。
【００１２】
また、特許文献２にかかる発明は次のような問題があった。つまり、プラズマディスプレイパネルの画面表示部とは別の下方に発光部を形成するが、上記ＲＧＢの階調を測定するセンサーはプラズマディスプレイの前方に取り付けられるため、プラズマディスプレイ装置の前方にセンサーを配置するための無駄なスペースが必要であり、このことはプラズマディスプレイ装置の厚みの薄さを阻害していた。
【００１３】
本発明は上記課題にかんがみてなされたもので、表示画面を邪魔したり、不要な表示画面を新たに設けずかつ、プラズマディスプレイ装置の厚みの薄さを阻害しない構成でホワイトバランス調整を自動で行うプラズマディスプレイ装置の提供を目的とする。
【課題を解決するための手段】
【００１４】
上記した課題を解決するために請求項２のプラズマディスプレイ装置は、映像表示面とその背面からも発光状態を視認可能なガラス基板にて形成されるとともに、上記ガラス基板の背面の全面をフレームにて覆われたプラズマディスプレイパネルと、入力されるビデオ信号に基づいて、映像を上記プラズマディスプレイパネルに表示させる信号回路と、上記プラズマディスプレイパネルと信号回路とを収容するキャビネットとを有するプラズマディスプレイ装置において、上記プラズマディスプレイパネルに表示させるホワイトバランス調整画面の映像信号を生成するホワイトバランス調整画面生成手段と、上記ガラス基板を覆う同フレームの一部には開口が形成され、上記ホワイトバランス調整画面が表示された上記ガラス基板を背面側の上記開口から撮影するよう配置された色センサーと、上記色センサーが撮影した映像に基づき上記プラズマディスプレイパネルにおける前面側での色温度を所望の値となるようにホワイトバランスを調整するホワイトバランス調整手段とを有し、上記色センサーが撮影した上記プラズマディスプレイの背面に表示されたホワイトバランス調整画面を基にホワイトバランスを調整する構成である。 
【００１５】
つまり、プラズマディスプレイ装置のホワイトバランス調整をするために、ホワイトバランス調整画面生成手段により生成されたホワイトバランス調整画面が表示されたプラズマディスプレイパネルを、ガラス面の背面を覆うフレームに形成された開口部から色センサーにて発光状態を検出する。上記検出結果に基づいて、ホワイトバランス調整手段は信号回路のホワイトバランス調整を行う。上述した構成により、プラズマディスプレイパネルに表示されたホワイトバランス調整画面をプラズマディスプレイパネルの背面に形成された開口から色センサーにより検出するため、プラズマディスプレイパネルの表示面側には色センサー等が配置されない。これによりプラズマディスプレイ装置の奥行きの薄さを阻害しない構成でホワイトバランス調整を行うことが可能なプラズマディスプレイ装置を提供することができる。
【００１６】
また、上記したホワイトバラン調整手段の具体的な構成の一例として、請求項３のプラズマディスプレイ装置は、上記信号回路は、上記色センサーが上記プラズマディスプレイパネルの背面から撮影したホワイトバランス調整画面の映像信号を上記プラズマディスプレイパネルの表示面側から撮影されたホワイトバランス調整画面の映像特性と近似するよう変更を行うホワイトバランス変換手段と、上記ホワイトバランス変換回路が補正した後の映像信号のホワイトバランスを予め設定された値に変換するための係数を算出する入出力関係特定手段とを有し、上記ホワイトバランス調整手段は、上記入出力関係特定手段が特定した係数を用いて、上記映像信号のホワイトバランスを調整する構成としている。
【００１７】
つまり、ホワイトバランス変換回路により入力された映像信号と画面に表示されたホワイトバランス調整画面との各階調の差を補正した後、入出力関係特定手段により補正後の映像信号のホワイトバランスの特性が検出される。こうして検出された映像信号のホワイトバランスの特性に基づいて、ホワイトバランス調整手段は映像信号のホワイトバランスを調整する。そのため、プラズマディスプレイパネルの表示特性に対応したホワイトバランス調整を行うことができる。
【００１８】
さらに、本発明のホワイトバランス調整は自動で行わせることが可能である。ホワイトバランス調整を自動で行う具体的な構成の一例として、上記ホワイトバランス調整手段は、当該プラズマディスプレイ装置の電源を切ると画面上に上記ホワイトバランス調整画面を表示するとともに、上記色センサーが上記ホワイトバランス調整画面生成手段が生成するホワイトバランス調整画面を撮影し、電源を入力すると、上記撮影されたホワイトバランス調整画面に基づいてホワイトバランス調整を行う構成としている。
【００１９】
上記のように構成したプラズマディスプレイ装置では、当該プラズマディスプレイ装置の電源を切った際に、画面上にホワイトバランス調整画面を表示し、電源の入力時に上記撮影したホワイトバランス調整画面にてホワイトバランスの調整を行う。そのため、プラズマディスプレイパネルの経年劣化にともなうホワイトバランス調整を自動で行うことができる。
【００２０】
また、自動で行うホワイトバランス調整の一例として、請求項５に記載のプラズマディスプレイ装置は、当該プラズマディスプレイ装置は、電源の入力回数をカウントするカウント手段を有し、上記ホワイトバランス調整手段によるホワイトバランス調整は、上記カウント手段がカウントするカウント数が所定の回数達したら実行される構成としている。
つまり、カウント手段によりカウントされる電源入力回数によりホワイトバランス調整を自動で行うため、プラズマディスプレイ装置の使用回数に基づいてプラズマディスプレイパネルの経年劣化にともなうホワイトバランス調整を行うことができる。カウント手段の具体化の方法としては、プラズマディスプレイ装置に実装されたマイコンにてカウント手段を実現するものであってもよい。
【００２１】
さらに、自動で行うホワイトバランス調整の一例として、当該プラズマディスプレイ装置は、累積使用時間を計測する累積使用時間計測手段を有し、上記ホワイトバランス調整手段によるホワイトバランス調整は、上記累積使用時間計測手段による計測された値が所定の累積時間に達したら実行される構成としている。
つまり、累積市場時間計測手段にて計測される当該プラズマディスプレイ装置の使用時間を基にホワイトバランス調整を自動で行うため、プラズマディスプレイパネルの経年劣化にともなうホワイトバランス調整を行うことができる。
【００２２】
また、ホワイトバランス調整を自動で行った後にユーザに何がしかの注意を表示する機能を持たせるものであってもよい。ホワイトバランス調整に伴って行われる機能の一例として請求項７のプラズマディスプレイ装置では、上記信号回路は上記色センサーが撮影した部屋の明るさに対応するＲＧＢの映像信号の各階調相当値を基に輝度を算定する輝度算定手段を有し、上記算定した部屋の明るさに対応する輝度相当値が所定のしきい値以下ならば、注意を表示する構成としている。
つまり、色センサーの機能を利用して部屋を撮影するとともに、撮影した部屋の明るさに基づいて輝度算定手段により輝度を算定する。こうして算定された部屋の輝度により部屋の明るさを判定し、判定結果が暗ければ注意を表示する。具体的な注意の方法としては、画面上に注意を呼びかける映像を表示するものであってもよいし、音により表示するものであってもよい。
【００２３】
さらに、本発明を具体化した請求項１の発明は本発明のプラズマディスプレイ装置を使用したプラズマテレビジョンとして、映像表示面とその裏面からも発光状態を視認可能なガラス基板にて形成されるとともに、上記ガラス基板の背面の全面を金属製のフレームにて覆われたプラズマディスプレイパネルと、音声を出力するスピーカと、入力されたビデオ信号に基づいて、映像を上記プラズマディスプレイパネルに表示させるとともに音声を上記スピーカより出力する信号回路と、上記プラズマディスプレイパネルとスピーカと信号回路とを収容するキャビネットとを有するプラズマテレビジョンにおいて、
ホワイトバランス調整用の映像であるホワイトバランス調整画面を生成するホワイトバランス調整画面生成回路と、上記ガラス基板を背面を覆う上記フレームの一部に形成された開口にて上記ホワイトバランス調整画面が表示された上記ガラス基板を背面から撮影するよう取り付けられた色センサーと、上記色センサーが上記プラズマディスプレイパネルの背面から撮影したホワイトバランス調整画面の映像信号を上記プラズマディスプレイパネルの表示面側から撮影されたホワイトバランス調整画面の映像特性と近似するよう変更を行うホワイトバランス変換回路と、上記ホワイトバランス変換回路が補正した後の映像信号を予め設定されたホワイトバランスに変換するための係数を算出する入出力関係特定部と、上記入出力関係特定部が算出した係数を用いて、上記プラズマディスプレイパネルにおける映像表示側での色温度を所望の値となるように上記映像信号のホワイトバランスを調整するホワイトバランス調整回路とを有し、上記ホワイトバランス調整回路でのホワイトバランス調整は、累積使用時間計測部にて当該プラズマテレビジョンの使用が所定の累積使用時間に達するかを判定し、上記累積使用時間計測部が累積使用時間が所定の値に達した場合は、当該プラズマテレビジョンの電源を切る際、上記ホワイトバランス調整画面生成回路がホワイトバランス調整画面を生成して画面に表示するとともに、上記色センサーが上記ホワイトバランス調整画面を撮影し、さらに当該プラズマテレビジョンの電源を入力すると、上記撮影されたホワイトバランス調整画面に基づいて実行するものであって、上記信号回路は上記色センサーが撮影した部屋の明るさに対応するＲＧＢの映像信号の各階調相当値を基に輝度を算定する輝度算定回路を有し、上記算定した部屋の明るさに対応する輝度相当値が所定のしきい値以下ならば、注意を表示する構成としている。
【発明の効果】
【００２４】
以上説明したようにプラズマディスプレイ装置の奥行きの薄さを阻害しない構成でホワイトバランス調整を行うことが可能なプラズマディスプレイ装置を提供することができる。
また、請求項３にかかる発明によれば、プラズマディスプレイパネルの表示特性に対応したホワイトバランス調整を行うことができる。
さらに、請求項４にかかる発明によれば、プラズマディスプレイパネルの経年劣化にともなうホワイトバランス調整を自動で行うことができる。
また、請求項５にかかる発明によれば、プラズマディスプレイ装置の使用回数に基づいてプラズマディスプレイパネルの経年劣化にともなうホワイトバランス調整を行うことができる。
さらに、請求項６にかかる発明によれば、プラズマディスプレイ装置の使用累計時間に基づいてプラズマディスプレイパネルの経年劣化にともなうホワイトバランス調整を行うことができる。
また、請求項７にかかる発明によれば、色センサーが撮影した部屋の明るさを基に、ユーザに暗い部屋でテレビを視聴しないよう注意を表示することができる。
さらに請求項１のような、より具体的な構成において、上述した請求項２〜請求項７の各発明と同様の作用を奏することはいうまでもない。
【発明を実施するための最良の形態】
【００２５】
ここでは、下記の順序に従って本発明の実施形態について説明する。
（１）プラズマテレビジョンの構造
（２）プラズマテレビジョンの映像表示方法
（３）本発明のスケーラＩＣの構成
（４）ホワイトバランス調整の方法
（５）変形例１
（６）変形例２
（７）変形例３
（８）変形例４
（９）まとめ。
【００２６】
（１）プラズマテレビジョンの構造
図１は本発明の一実施形態であるプラズマテレビジョンの構成を示すブロック構成図である。プラズマテレビジョン１は、チューナー２が受信したテレビジョン放送を受信してプラズマディスプレイパネル１９に映像を表示するためのものである。そのため、プラズマテレビジョン１はチューナー２と信号回路３とプラズマディスプレイパネル１９と、スピーカ９と、制御装置２１とから構成されており、上記各構成要素は樹脂製のキャビネットにて収容されている。上記プラズマテレビジョン１を形成する各構成要素はバス２０と接続し、制御装置２１の制御に基づいてプラズマテレビジョン１が駆動している。
【００２７】
以下具体的なプラズマテレビジョン１の機能を説明する。図示されないアンテナがテレビジョン放送を受信すると、チューナー２は上記テレビジョン放送から所定の番組のビデオ信号を取り出し信号回路３に出力する。信号回路３は、クロマＩＣ回路４と、アナログ／ディジタル変換回路５と、スケーラＩＣ６と、駆動回路１３とから構成されている。チューナー２から入力されたビデオ信号はクロマＩＣ回路４へと出力され、上記ビデオ信号を基に映像信号と音声信号を生成する。次に、クロマＩＣ回路４は、上記生成した映像信号をアナログ／ディジタル変換回路５に出力する。アナログ／ディジタル変換回路５は、上記映像信号をアナログ信号からディジタル信号へと変換する。
【００２８】
スケーラＩＣ６はＲＧＢ生成回路７と補正回路８とから構成される。ＲＧＢ生成回路７は、アナログ／ディジタル変換回路５から映像信号を受け取り、一画面あたりの画像を構成するＲ（レッド）Ｇ（グリーン）Ｂ（ブルー）の階調表現に対応する映像信号を生成する。補正回路８は、上記ＲＧＢ生成回路７から出力されたＲＧＢの各階調表現に対応する映像信号にガンマ補正等の信号処理を行う。
【００２９】
プラズマディスプレイパネル１９の階調表現の方法は時分割駆動法（以下、サブフィールド法と称する）が使用される。サブフィールド法は、１フレームを発光回数の違いによって重み付けされた複数のサブフィールド（ＳＦ１〜ＳＦ４）に分割し、画素毎にそこでの信号の振幅に応じたサブフィールドを選択することで階調を表現する方法である。図２に示す駆動シーケンスは、１フレームを４つのサブフィールド（ＳＦ１〜ＳＦ４）に分割し２の４乗＝１６階調の表示が可能となっている。各サブフィールドの走査期間Ｔ１は、そのサブフィールドでの発光する発光画素を選択するための期間であり、また、放電維持期間Ｔ２はその選択された発光画素が発光している期間である。
【００３０】
サブフィールドＳＦ１〜ＳＦ８の放電維持期間Ｔ２は、選択された画素が発光する時間を表し、各画素は所定の比率で発光回数に重み付けがなされている。階調表現を増やす場合には、サブフレームの数を増やせばよく、２５６階調にする場合は、サブフレームを８個（２の８乗＝２５６）とすればよい。また、各サブフィールドの輝度レベルは維持発光の回数によって制御することも可能である。
【００３１】
駆動回路１３は、タイミングコントローラー１４と、画素データ発生回路１５と、行電極駆動回路１６とから構成されている。画素データ発生回路１５と行電極駆動回路１６は後術するプラズマディスプレイパネル１９の列電極１７と行電極１８とに接続し、列電極１７と行電極１８で特定される各画素に電圧を印加する。画素データ発生回路１５はスケーラＩＣ６から出力されるＲＧＢの階調表現に対応する映像信号を基に、列電極１７を駆動するための列駆動電圧を生成する。
【００３２】
タイミングコントローラー１４はクロマＩＣ回路４から水平同期信号と垂直同期信号を受け取り、水平同期信号を画素データ発生回路１５に、垂直同期信号を行電極駆動回路１６に出力する。行電極駆動回路１６は、タイミングコントローラー１４から垂直同期信号を受け取り、上記垂直同期信号に基づいて放電発光を開始させる走査パルスと放電発光を維持する維持パルスと、放電発光を終了させる消去パルスとを生成する。上記構成において、画素データ発生回路１５にて生成された列駆動電圧はタイミングコントローラーから出力される水平同期信号に同期して各列電極に印加する。次に、行電極駆動回路１６は生成した走査パルスを垂直同期信号に同期して、各行電極に印加する。
【００３３】
図３は本実施形態におけるプラズマディスプレイパネルの構造図である。図３において、画像表示面である前面のガラス基板２９の内面には、互いに対となるように行電極１８Ｙ１〜Ｙｎと、行電極１８Ｘ１〜Ｘｎが形成されている。さらに、ガラス基板２９の内面には、一対の予備放電用電極３０Ｙｐと予備放電用電極３０Ｘｐが、上記行電極Ｙ１〜Ｙｎと行電極Ｘ１〜Ｘｎと同様な形状にて配置されている。これら行電極１８は、誘電体層にて被覆されている。背面ガラス基板３１には、Ｒ（レッド）、Ｇ（グリーン）、Ｂ（ブルー）の各色の蛍光体が塗布された列電極１７Ｄ１〜Ｄｍが配置されている。これにより、プラズマディスプレイパネル１９は映像表示面とその裏面からも行電極の発光状態を視認可能なガラス基板にて形成されることとなる。そのため、背面ガラス基板３１の背面は金属製のフレーム３２が全面を覆うよう配置され、ガラス基板２９、さらには背面ガラス基板３１内で放電する光が後方にもれるのを防いでいる。本発明の一実施形態におけるフレーム３２はガラス基板２９を覆うフレーム３２の一部に開口部３３を有し、後述するホワイトバランス調整を行う際、開口部３３をから撮影するよう取り付けられた色センサー３４が映像を撮影するようになっている。
【００３４】
（２）プラズマテレビジョンの映像表示方法。
上記構成のプラズマディスプレイパネル１９において、行電極駆動回路１６は予備放電パルスを、予備放電用電極３０ＸｐとＹｐに印加する。これにより、予備放電用電極３０ＸｐとＹｐに放電発光が生じる。上記放電発光によって予備放電用電極３０ＸｐとＹｐの近傍に空間電荷が発生して予備放電が完了する。
【００３５】
次に、画素データ発生回路１５は、各行に対応した駆動電圧を列電極１７Ｄ１〜Ｄｍに印加する。かかる動作に同期して行電極駆動回路１６は、放電発光を開始するための走査パルス、及び放電発光を維持するための維持パルス、放電発光を停止させるための消去パルスを行電極１８Ｙ１〜Ｙｎ及びＸ１〜Ｘｎに順次印加して行く。具体的には、列電極１７Ｘ１〜Ｘｎに駆動電圧が印加された後、行電極１８Ｙ１に走査パルスが印加されると、行電極１８Ｙ１と列電極１７Ｘ１〜Ｘｎに挟まれた各画素は、量電極の電圧印加により電圧が印加される。結果として、行電極Ｙ１に対応する一列に並んだ各画素内は、放電を発生し画素内に塗布された蛍光体を発光させる。行電極駆動回路１６は、垂直同期信号に同期させて順次走査パルスを印加していくことにより一画面当たりの映像を表示させる。
【００３６】
次に、クロマＩＣ回路４にて分離された音声信号はスピーカ９にて音声として出力される。スピーカ９は、ディジタル／アナログ変換回路１０と、オーディオアンプ１１と音声出力部１２とから構成されている。
【００３７】
上記構成において、クロマＩＣ回路４にて出力された音声信号はディジタル／アナログ変換回路１０によってアナログ音声信号に変換され、オーディオアンプ１１に出力される。オーディオアンプ１１は上記変換された音声信号をユーザがリモコン２８よりリモコンＩ／Ｆを介して指示した所定の大きさまで、増幅を行い音声出力部１２に出力する。音声出力部１２は上記増幅された音声信号を空気振動に変換して音声を出力する。
【００３８】
（３）スケーラＩＣの構成。
上記構成のプラズマテレビジョン１において、ホワイトバランス調整を自動で行うため、スケーラＩＣ６はホワイトバランス調整画面生成回路（ホワイトバランス調整画面生成手段）３８と、ホワイトバランス調整回路（ホワイトバランス調整手段）３５と、ホワイトバランス変換回路（ホワイトバランス変換手段）３６と入出力関係特定部（入出力関係特定手段）３７とを有する構成としている。上記構成によりプラズマディスプレイパネル１９に表示された映像をＣＣＤ等の色センサー３４で撮影することで、プラズマテレビジョン１内部でホワイトバランス調整を行う。 
【００３９】
図４は本発明の一実施形態における信号回路３のブロック構成図である。ホワイトバランス調整画面生成回路３８は、ホワイトバランス調整画面である２０パーセントと７５パーセントの白色画像を生成する。上記ホワイトバランス調整画面は、白色画像を構成するＲＧＢの各階調表現が２０パーセント（例えば２５６階調×０．２＝５１番目の階調）と７５パーセント（２５６階調×０．７５＝１９１番目の階調）により構成された画像である。上記ホワイトバランス調整画面の作成は、マイコン２２がＲＯＭ２３に記録された２０パーセントと７５パーセントの白色画像を作成するための映像データを、ホワイトバランス調整画面生成回路３８に出力し、上記映像データを基にホワイトバランス調整画面生成回路が作成する。また、ホワイトバランス調整画面の他の製造方法としては、あらかじめ、２５パーセントと７５パーセントの白色画像データを記録するものであってもよい。
【００４０】
色センサー３４は上記したプラズマディスプレイパネル１９の背部ガラス基板２９を覆うフレーム３２に形成された開口部３３から、上記ホワイトバランス調整画面生成回路３８により生成されたホワイトバランス調整画面を撮影する。色センサーは撮影したホワイトバランス調整画面を基にアナログのＲＧＢ各階調に対応する映像信号を出力する。本発明の一実施形態における色センサー３４はＣＣＤカメラが使用されるが、これはＣＣＤカメラに限定されるものではない。
【００４１】
色センサー３４で撮影されホワイトバランス調整画面のＲＧＢの各階調値はアナログ／ディジタル変換回路５に出力され、ディジタルの映像信号に変換される。アナログ／ディジタル変換回路５はディジタル変換したホワイトバランス調整画面のＲＧＢの各階調に対応する映像信号をＲＧＢ生成回路７に出力し、ＲＧＢ生成回路７は、上記ＲＧＢの各階調からプラズマテレビジョン１に対応した映像信号を生成する。
【００４２】
ＲＧＢ生成回路７は上記映像信号をホワイトバランス調整回路３５に出力し、ホワイトバランス調整回路３５は上記映像信号を基にホワイトバランス調整を行う。図５は本発明の一実施形態であるホワイトバランス調整回路のブロック構成図である。図５より、ホワイトバランス調整回路３５はＲＧＢの各映像信号の入力値を乗算する乗算器３９、４０、４１と、各乗算器に乗算係数を入力する係数入力回路４２とから構成されている。
【００４３】
乗算器３９、４０、４１はＲＧＢの各階調値に対応する映像信号に乗算係数（振幅係数）を乗算する信号処理を行う。また、係数入力回路４２は乗算器３９、４０、４１に乗算係数を入力する。ホワイトバランス調整回路３５は、係数入力回路４２が出力する乗算係数を変化させ、乗算器による信号処理値を変化させホワイトバランス調整を実行する。
【００４４】
ホワイトバランス変換回路３６はＲＧＢ生成回路７から入力されたＲＧＢの各階調に補正のための信号処理を行う。具体的には、上記ホワイトバランス調整用画像の撮影方法は、プラズマディスプレイパネル１９の背面から色センサー３４が映像を撮影するものであり、当然プラズマディスプレイパネル１９の前面から撮影する場合と階調等の映像特性に違いが生じる。そこで、ホワイトバランス変換回路３６はプラズマディスプレイパネル１９の前側と後側で撮影される階調の違いを補正する補正データを有し、後側から撮影されたホワイトバランス調整用画像の階調による映像特性を前側から撮影された階調と近似するよう補正を行う。
【００４５】
上記補正に使用される補正データは事前に作成されたものを使用してもよい。図６は補正データの作成方法を示した図である。図より、プラズマディスプレイパネル１９に信号源から出力されるホワイトバランス調整画面を表示し、上記表示された映像をＣＣＤ等の色センサー３４にて撮影する。この時色センサー３４はプラズマディスプレイパネル１９の前側と後側とに配置される。
【００４６】
色センサー３４が撮影したホワイトバランス調整画面はコンピュータに接続され、プラズマディスプレイパネル１９の前側から撮影した場合のホワイトバランス調整画面のＲＧＢの各階調値と、後側から撮影された上記ＲＧＢの各階調値とを測定する。上記測定結果に基づいて、横軸を前側から撮影された上記ＲＧＢの各階調値に、縦軸を後側から撮影されたＲＧＢの各階調値とした補正データを作成する。図７は横軸を前側から撮影された上記ＲＧＢの各階調値に、縦軸を後側から撮影されたＲＧＢの各階調値とした補正データの図である。図より、Ｒに対して入力側の階調が５１の場合、出力側の階調は５３となり入力側に対して出力側が２だけ高い階調として表示されている。
【００４７】
入出力関係特定部３７は、ホワイトバランス調整回路３５が映像信号のホワイトバランスを調整するための係数を算出する。そのため、入出力関係特定部３７は、上記ホワイトバランス変換回路３６が変換したＲＧＢの各階調の値に基づき入出力特性式を作成し、上記作成した入出力特性式の係数をホワイトバランス調整回路３５に出力する。図８は本発明の一実施形態が実行する入出力特性式のグラフである。図８より、横軸はホワイトバランス調整回路３５に読取られるホワイトバランス調整画面のＲＧＢの各階調の入力値を示し、縦軸はプラズマディスプレイパネル１９に表示されたホワイトバランス調整画面のＲＧＢの各階調の値である。この時、上記入出力特性式はホワイトバランス調整画面生成回路３８が生成したホワイトバランス調整画面の２０パーセントと７５パーセントの階調を基に一次関数として作成される。
【００４８】
（４）ホワイトバランス調整方法
実際のホワイトバランス調整について説明する。図９はホワイトバランス調整時にマイコン２２が実行するホワイトバランス調整用プログラムのフローチャートである。ユーザがリモコン２８や操作パネル２６を用いてホワイトバランス調整を実行するよう指示を出すと、マイコン２２は上記実行指示を受けてＲＯＭ２３に記録されたホワイトバランス調整用画像の映像データを読み出し作業テーブルとしてのＲＡＭ２４に出力するとともに、ホワイトバランス調整画面生成回路３８に出力する（ステップＳ１００）。
【００４９】
さらにマイコン２２は、ホワイトバランス調整画面生成回路３８に上記出力した映像データよりＲＧＢの各階調が２０パーセントと７５パーセントで構成された白色のホワイトバランス調整画面に対応した映像信号を作成するよう指示を出し、これを受けてホワイトバランス調整画面生成回路３８はホワイトバランス調整画面に対応する映像データを作成する（ステップＳ１０１）。
【００５０】
次にマイコン２２は、スケーラＩＣ６に上記作成したホワイトバランス調整画面をプラズマディスプレイパネル１９に表示するよう指示を出し、スケーラＩＣ６は上記指示を受けてホワイトバランス調整画面生成回路３８で作成したホワイトバランス調整画面の映像データを駆動回路１３に出力する。駆動回路１３は上記映像データを受けてプラズマディスプレイパネル１９にホワイトバランス調整画面を表示する（ステップＳ１０２）。
【００５１】
さらにマイコン２２は、色センサー３４にプラズマディスプレイパネル１９に表示したホワイトバランス調整画面を撮影するよう指示を出し、上記指示をうけて色センサー３４はホワイトバランス調整画面を撮影し、ＲＧＢ生成回路７に出力する（ステップＳ１０３）。次に、マイコン２２は、ＲＧＢ生成回路７に上記撮影したホワイトバランス調整画面を基にプラズマテレビジョン１に対応する映像信号を生成するよう指示を出し、上記指示を受けてＲＧＢ生成回路７はホワイトバランス調整画面からＲＧＢの各階調に対応する映像信号を生成し、ホワイトバランス変換回路３６に出力する（ステップＳ１０４）。
【００５２】
またマイコン２２は、ホワイトバランス変換回路３６に画面前後の対応を取るように指示するとともに、補正後のホワイトバランス調整画面を基に入出力関係特定部３７にＲＧＢの各階調の入出力特性式を作成するよう指示を出す。入出力関係特定部３７は、上記指示を受けてホワイトバランス変換回路３６によって補正されたホワイトバランス調整画面のＲＧＢの各階調値を受け取り、上記階調値を基に入出力特性式を作成する。（ステップＳ１０５）。このときホワイトバランス変換回路３６にて変換されるＲＧＢの各階調の例として、図７より、プラズマディスプレイパネル１９の後側から撮影した映像のＲの階調は前側から撮影した映像のＲＧＢの各階調より階調値で２だけ高い値であるとする。そのため、ホワイトバランス変換回路３６は図８に表示されたＲの相関図を２だけ下げるよう調整を行う。
【００５３】
さらに、マイコン２２は、入出力関係特定部３７によって特定された上記入出力特性式に基づいて、ＲＧＢの各階調を予め特定した値（２５パーセントと７５パーセント）になるよう入出力特性式により生成された係数により補正を行う（ステップＳ１０６）。今ホワイトバランス変換回路３６により補正された後の２０パーセントと７５パーセントのＲＧＢの各階調に対応する式が図８であるとする。図よりＲの階調値は入力値が５１（２０パーセント）と１９１（７５パーセント）の値に対して、出力側は８０と２１０であるのでＲに対する入力値ＸＲと出力値ＹＲとの関係は、
（２１０−８０）／（１９１−５１）＝１３／１４
となる。また、縦軸との接点は２０であるので、ＸＲとＹＲは、
ＹＲ＝１３／１４ＸＲ＋２０
である。よってマイコン２２は、上記Ｒに対する入出力特性式を、
ＹＲ＝ａ・ＸＲ
となるよう逆数を乗算し、ホワイトバランス調整回路３５に出力する。マイコン２２は、上記調整をＧ、Ｂにも行い、
ＹＧ＝ｂ・ＸＧ
ＹＢ＝ｃ・ＸＧ
となるよう階調値の入力値と出力値に対応する入出力特性式の修正係数を決定する。上記ＲＧＢの各入出力特性式の係数であるａ、ｂ、ｃは工場出荷時に予めＲＯＭ２３に記録されている係数であり、上記係数ａ、ｂ、ｃの比率を出荷先の地域に応じて変更することにより表示される白色の色温度を変化させている。
【００５４】
ホワイトバランス調整回路３５は、上記決定したＲＧＢの各修正係数を係数入力回路４２を介してＲＧＢの各乗算器３９、４０、４１に入力し、ＲＧＢの各階調に対応する映像信号を修正する。上記修正によりＲＧＢの入出力特性を白を構成するＲＧＢの比率を変化させホワイトバランスの調整を行う。以上説明したように、色センサー３４であるＣＣＤは、プラズマディスプレイパネル１９の背面より、ホワイトバランス調整画面を撮影し、上記撮影した画像に基づいてホワイトバランスの調整を行うため、プラズマテレビジョン１の全面には色センサー３４が配置されず、プラズマテレビジョン１の奥行きの薄さを阻害しない構成でホワイトバランス調整を行うことが可能なプラズマテレビジョン１を提供することができる。
【００５５】
（５）変形例１
上記構成によりプラズマテレビジョン１は、ホワイトバランス調整を行うが、上記ホワイトバランス調整はユーザの選択により自動で実施することも可能である。この場合、ホワイトバランスの測定は電源が入力されてから所定の時間経過した後のほうが望ましいため、プラズマテレビジョン１の電源をＯＦＦにした後、ホワイトバランスの測定が行われ、次に電源が入力されるとホワイトバランス調整が行われる構成としている。
【００５６】
図１１はホワイトバランス調整を自動で行う場合のマイコン２２が実行するフローチャートである。ユーザがリモコン２８や操作パネルを用いてホワイトバランス調整を実行するよう指示を出すと、マイコン２２は上記実行指示を受けてＲＯＭ２３に記録されたホワイトバランス調整用画像の映像データを読み出し作業テーブルとしてのＲＡＭ２４に出力する（ステップＳ２００）。次に、マイコン２２は、ホワイトバランス調整を自動で行うための条件に達しているかを判断する。このときユーザが指示する条件（例えば後述する電源入力回数または、累積使用時間）を判断するためのプログラムはＲＯＭ２３に予め記録されており、マイコンはユーザの指示に従って上記ＲＯＭ２３に記録されたプログラムを読み出し実行する（ステップＳ２０１）。
【００５７】
さらに、ユーザがプラズマテレビジョン１を一定時間使用し、その後プラズマテレビジョン１の電源をＯＦＦにすると、マイコン２２は、上記ＲＡＭ２４に記録されたホワイトバランス調整画面のデータをホワイトバランス調整画面生成回路３８に出力する（ステップＳ２０２）。マイコン２２は、ホワイトバランス調整画面生成回路３８に上記出力した映像データよりＲＧＢの各階調が２０パーセントと７５パーセントで構成されたホワイトバランス調整画面を作成するよう指示を出し、これを受けてホワイトバランス調整画面生成回路３８はホワイトバランス調整画面に対応する映像データを作成する（ステップＳ２０３）。
【００５８】
次にマイコン２２は、スケーラＩＣ６に上記作成したホワイトバランス調整画面をプラズマディスプレイパネル１９に表示するよう指示を出し、スケーラＩＣ６は上記指示を受けてホワイトバランス調整画面生成回路３８で作成したホワイトバランス調整画面の映像データを駆動回路１３に出力する。駆動回路１３は上記映像データを受けてプラズマディスプレイパネル１９にホワイトバランス調整画面を表示する（ステップＳ２０４）。
【００５９】
また、マイコン２２は、色センサー３４にプラズマディスプレイパネル１９に表示したホワイトバランス調整画面を撮影するよう指示を出し、上記指示をうけて色センサー３４はホワイトバランス調整画面を撮影し、アナログ／ディジタル変換回路５に出力する。アナログ／ディジタル変換回路５は上記ホワイトバランス調整画面をアナログからディジタルの映像信号に変換した後、ＲＧＢ生成回路７に出力する。（ステップＳ２０５）。
【００６０】
さらに、マイコン２２は、ＲＧＢ生成回路７に上記撮影したホワイトバランス調整画面からＲＧＢの各階調値に対応する映像信号を生成するよう指示を出し、上記指示を受けてＲＧＢ生成回路７はホワイトバランス調整用映像からＲＧＢの各階調に対応する映像データを生成し、上記生成した値をホワイトバランス変換回路３６に出力する（ステップＳ２０６）。この時ホワイトバランス変換回路３６は、プラズマディスプレイパネル１９の前側と後側で表示された映像データの違いに基づく補正値を、入出力関係特定部３７で作成される相関図に適応するよう補正をおこなう。入出力関係特定部３７にＲＧＢの各階調の入出力特性式を作成するよう指示を出す。入出力関係特定部３７は、上記指示を受けてホワイトバランス変換回路３６から入力された画像データを基に相関図を作成する。（ステップＳ２０７）。
【００６１】
次にマイコンは、ユーザがプラズマテレビジョン１の電源を再度入力するまで、待機する。ステップＳ２０７で作成された相関図はＲＯＭに一時的に記録され、次に、ユーザが電源を入力すると、マイコン２２はＲＯＭ２３に記録した上記入出力特性式を読み出し、上記相関関係式の係数を比較する。上記係数が上記範囲を外れるならば、マイコン２２は上記入出力特性式をホワイトバランス調整回路３５に出力する（ステップＳ２０８〜Ｓ２０９）。
【００６２】
このとき上記係数の比較対照となる範囲の値は、ＲＧＢの各階調値に対応する映像信号の入力値と出力値が１対１で対応する入出力特性式から所定の値ずれたものとする。本発明の一実施形態では上記値を、
０＜ａ＜２
０＜ｂ＜１
とするが、上記値はこれに限定されるものではない。
【００６３】
次に、マイコン２２はホワイトバランス調整回路３５に上記入出力特性式を修正する式を出力する。ホワイトバランス調整回路３５は上記係数を受けて、上記相関図に基づいて、ＲＧＢの各階調値が入力と出力で１対１となるよう入出力特性式の係数を変更する。（ステップＳ２１０）。ホワイトバランス調整回路３５は、上記決定したＲＧＢの各修正係数をＲＧＢの各乗算器３９、４０、４１に入力し、ＲＧＢの各階調に対応する映像信号を修正することでホワイトバランスの調整を行う。
【００６４】
（６）変形例２
上記構成によりプラズマテレビジョン１は自動でホワイトバランス調整を行うが、図９のフローチャートによれば、ホワイトバランス調整を自動で行うための条件は、条件に対応するプログラムを事前にＲＯＭ２３に記録させ、上記プログラムをユーザが指示することで実行可能となる。そこで本発明の一実施形態であるプラズマテレビジョン１はホワイトバランス調整を実行する条件を、プラズマテレビジョン１の電源入力を所定回数行った場合と所定の累積使用時間使用する場合とし、上記条件を満たすとプラズマテレビジョン１はホワイトバランス調整を実行することとした。
【００６５】
これよりプラズマテレビジョン１の電源入力を所定回数行うと自動でホワイトバランス調整を行う場合について説明する。図１２は、図１１でプラズマテレビジョン１が自動でホワイトバランス調整を行う際マイコン２２が実行するフローチャートのステップＳ２０１で読み出されるサブルーチンのフローチャートである。ここでは、全体の流れは上記した図９のフローチャートと同様であるため、上記サブルーチンのみ説明することとする。
【００６６】
図１１のフローチャートでマイコン２２がステップＳ２０１に進むと、マイコン２２はＲＯＭ２３に記録されたプラズマテレビジョン１の電源入力回数を判断するプログラムを読み出す（ステップＳ３００）。図１２はこのとき読み出されるプログラムに従ってマイコン２２が実行するフローチャートである。
【００６７】
マイコン２２は、ユーザからの条件を判断するためのしきい値Ｔ１の入力を受け、上記しきい値をプログラムに反映させる（ステップＳ３０１）。ここでは、プラズマテレビジョン１の電源を１００回入力したらホワイトバランス調整を自動で行うことを反映させるためにしきい値Ｔ１を１００と設定する。上記しきい値の入力は、ＯＳＤ２７により設定画面をプラズマディスプレイパネルに表示することで、ユーザが任意で設定可能である。
【００６８】
次にマイコン２２は、電源入力回数ＭＴをカウントし上記カウントした数字を記録する（ステップＳ３０２）。また、このとき電源入力回数のカウント数は図１より図示しない電源回路からの電源入力による電圧の変化を読取りカウントを行うものとする。これによりマイコン２２はカウント手段を実現する。
【００６９】
次に、マイコン２２は、上記カウントした電源入力回数ＭＴとユーザが事前に入力したしきい値Ｔ１とを比較し、
Ｔ１＜ＭＴ
である場合は、ステップＳ３０４に進み、
Ｔ１≧ＭＴ
であれば電源入力回数ＭＴがしきい値Ｔ１を超えるまで待機する（ステップＳ３０３）。
【００７０】
さらに、マイコン２２は上記カウントした電源入力回数ＭＴを０に戻す初期化を行い、上記初期化を行った後、図１１のステップＳ２０２にリターンする（ステップＳ３０４）。以下マイコン２２は、図１１のステップＳ２０２〜ステップＳ２１０にかけて、ホワイトバランス調整を自動で行うフローチャートの流れを実行し、ホワイトバランス調整を自動で行うよう制御する。
【００７１】
（７）変形例３
次に、プラズマテレビジョン１の累積使用時間ＭＣに基づいてホワイトバランス調整を実行する場合を説明する。この場合も上記した電源入力回数ＭＴに基づくホワイトバランス調整と同様に図１１のステップＳ２０１で読み出されるサブルーチンの説明のみとする。
【００７２】
図１３はこのとき読み出されるプログラムに従ってマイコン２２が実行するフローチャートである。図１１のフローチャートでマイコン２２がステップＳ２０１に進むと、マイコン２２はＲＯＭ２３に記録されたプラズマテレビジョン１の電源入力回数を判断するプログラムを読み出す（ステップＳ４００）。
【００７３】
マイコン２２は、ユーザからの条件を判断するためのしきい値Ｔ２の入力を受け、上記しきい値Ｔ２をプログラムに反映させる（ステップＳ４０１）。ここでは、プラズマテレビジョン１の累積使用時間が１０００時間に達したらホワイトバランス調整を自動で行うことを反映させ、しきい値Ｔ２を１０００と設定する。上記しきい値の入力は、ＯＳＤ２７により設定画面をプラズマディスプレイパネルに表示することで、ユーザが任意で設定可能である。これによりマイコン２２は累積使用時間計測部（累積使用時間計測手段）を実現する。
【００７４】
次に、マイコン２２は、電源が入力されてから切られるまでの累積使用時間ＭＣをカウントし上記カウントした数字を記録する（ステップＳ４０２）。このときの累積使用時間ＭＣのカウントは図１より図示しない電源回路からの電源入力による電圧の変化を検知し、マイコン２２に実装された内部クロックにより、上記内部クロックの振動回数に基づいて累積使用時間を計測していく。
【００７５】
次に、マイコン２２は、上記カウントした累積使用時間ＭＣとユーザが事前に入力したしきい値Ｔ２とを比較し、
Ｔ２＜ＭＣ
である場合は、ステップＳ４０４に進み、
Ｔ２≧ＭＣ
であれば電源入力回数がしきい値Ｔ２を超えるまで待機する（ステップＳ４０３）。次に、マイコン２２は上記カウントした電源入力回数ＭＣを０に戻す初期化を行い、上記初期化を行った後、図１１のステップＳ２０２にリターンする（ステップＳ４０４）。
【００７６】
以下マイコン２２は、図１１のステップＳ２０２〜ステップＳ２１０にかけて、ホワイトバランス調整を自動で行うフローチャートの流れを実行し、ホワイトバランス調整を自動で行うよう制御する。
【００７７】
（８）変形例４
上記構成より本発明の一実施形態であるプラズマテレビジョン１はホワイトバランス調整を自動で行うが、プラズマテレビジョンの電源ＯＦＦ時に、色センサー３４を用い部屋の状態を撮影することで、部屋の明るさに対応するＲＧＢの各階調から輝度を算定することが可能である（例えば輝度Ｙ＝０．３０Ｒ＋０．５９Ｇ＋０．１１Ｂ  Ｒ、Ｇ、ＢはＲＧＢの各階調値）。
【００７８】
色センサー３４を用いて部屋の暗さを測定することで、測定した部屋の暗さに応じてユーザに注意を呼びかけることが可能となる。このことは、幼児が暗い部屋でアニメを見ることで癲癇の発作を引き起こすことを防止することが可能であり、また、暗い部屋でテレビを視聴することで視力を弱めてしまうことを防止することができる。そこで、本発明の一実施形態であるプラズマテレビジョンは、色センサー３４が撮影した映像の階調相当値を基に輝度を算定する輝度算定回路（輝度算定手段）４３を有する構成とした。
【００７９】
図１４は本発明の一実施形態である信号回路のブロック構成図である。図より、色センサー３４が撮影した部屋の明るさは、アナログ／ディジタル変換回路５を介してＲＧＢ生成回路７に出力される。輝度算定回路４３は、上記部屋の明るさのＲＧＢの各階調値に対応する映像データに基づいて輝度相当値Ｙを算定する。算定された輝度相当値Ｙはマイコン２２に出力され、部屋の明かるさを判定する所定のしきい値Ｔ３と比較される。
【００８０】
上記算定された輝度相当値Ｙが上記しきい値Ｔ３以下
Ｔ３≦Ｙ
ならば部屋の明るさを暗いとみなし、算定された輝度相当値Ｙがしきい値Ｔ３以上
Ｔ３＜Ｙ
ならば、部屋の明るさを明るいとみなす。上記しきい値Ｔ３は、選択画面においてユーザがリモコン２８を用いて一定の変更が可能である。
【００８１】
マイコン２２は上記輝度算定回路４３から出力される部屋の明るさに対応する輝度を受け取り上記輝度としきい値を比較する。部屋の明るさに対応する輝度がしきい値以下であれば、マイコンはＯＳＤ２７を介してプラズマディスプレイパネル１９に警告文を表示する。
【００８２】
図１５はユーザが部屋の明るさを測定する機能を選択した場合にマイコンが実行するフローチャートである。ユーザが選択画面で部屋の明るさを測定する機能を選択すると、マイコン２２はＲＯＭ２３に記録された部屋の明るさを測定するプログラムを読み出す（ステップＳ５００）。次に、マイコン２２は、ユーザが部屋の明るさを判断するためのしきい値を選択する画面をプラズマディスプレイパネル１９に表示し、ユーザが上記しきい値を選択するとマイコンはプログラムのしきい値を書き換える（ステップＳ５０１、Ｓ５０２）。
【００８３】
次に、マイコン２２は、プラズマテレビジョン１が切られるまで待機する。（ステップＳ５０３）。マイコン２２はプラズマテレビジョン１の電源が切られたことを確認すると、色センサー３４にプラズマディスプレイパネル１９を通して部屋の明るさを撮影するよう指示を出す。上記指示を受けて色センサー３４は部屋の明るさを撮影し、上記撮影した映像をＲＧＢ生成回路７に出力する（ステップＳ５０４）。
【００８４】
さらに、マイコン２２は、ＲＧＢ生成回路７に上記撮影された部屋の明るさに対応するＲＧＢの各階調に対応する映像データを生成するよう指示を出し、上記指示をうけてＲＧＢ生成回路７は、部屋の明るさに対応するＲＧＢの各階調に対応する映像データを生成し、上記生成したＲＧＢの各階調に対応する映像データを輝度算定回路４３に出力する（ステップＳ５０５）。
【００８５】
次に、マイコン２２は、輝度算定回路４３にＲＧＢ生成回路７から出力された部屋の明るさに対応するＲＧＢの各階調に対応する映像データを基に輝度を算定し、上記算定した輝度をマイコン２２に出力する（ステップＳ５０６）。次にマイコン２２は、上記算定した輝度とステップＳ５０２でユーザが選択したしきい値を比較する（ステップＳ５０７）。次に、マイコンは上記算定された輝度がしきい値以下であれば、ＯＳＤ２７を介してプラズマディスプレイパネル１９に警告文を表示する（ステップＳ５０８）。
【００８６】
（９）まとめ。
上記構成において、プラズマテレビジョンはホワイトバランス調整用映像を生成するホワイトバランス調整画面生成回路と、ホワイトバランス調整を行うホワイトバランス調整回路とを有し、上記ホワイトバランス調整用映像が表示されたプラズマディスプレイパネルを上記色センサーで後方から撮影し、上記撮影されたホワイトバランス調整用映像を基にホワイトバランス調整を行う。
【００８７】
なお、本発明は上記実施形態に限られるものでないことは言うまでもない。当業者であれば言うまでもないことであるが、 
・上記実施形態の中で開示した相互に置換可能な部材および構成等を適宜その組み合わせを変更して適用すること 
・上記実施形態の中で開示されていないが、公知技術であって上記実施形態の中で開示した部材および構成等と相互に置換可能な部材および構成等を適宜置換し、またその組み合わせを変更して適用すること 
・上記実施形態の中で開示されていないが、公知技術等に基づいて当業者が上記実施形態の中で開示した部材および構成等の代用として想定し得る部材および構成等と適宜置換し、またその組み合わせを変更して適用すること 
は本発明の一実施形態として開示されるものである。 
【図面の簡単な説明】
【００８８】
【図１】プラズマテレビジョンの構成を示すブロック構成図である。
【図２】駆動シーケンスの図である。
【図３】プラズマディスプレイパネルの構造図である。
【図４】スケーラＩＣのブロック構成図である。
【図５】ホワイトバランス調整回路のブロック構成図である。
【図６】補正データの作成方法を示した図である。
【図７】補正データの図である。
【図８】ＲＧＢの各階調の入力値に対する出力値の入出力特性式のグラフである。
【図９】ホワイトバランス調整時にマイコンが実行するフローチャートである。
【図１０】ＲＧＢの各階調の入力値に対する出力値の入出力特性式のグラフである。
【図１１】マイコンが実行するフローチャートである。
【図１２】マイコンが実行するフローチャートである。
【図１３】マイコンが実行するフローチャートである。
【図１４】信号回路のブロック構成図である。
【図１５】マイコンが実行するフローチャートである。
【図１６】従来のホワイトバランス調整の図である。
【符号の説明】
【００８９】
１…プラズマテレビジョン、２…チューナー、３…信号回路、４…クロマＩＣ回路、５…アナログ／ディジタル変換回路、スケーラＩＣ６、７…ＲＧＢ生成回路、８…補正回路、９…スピーカ、１０…ディジタル／アナログ変換回路、１１…オーディオアンプ、１２…音声出力部、１３…駆動回路、１４…タイミングコントローラー、１５…画素データ発生回路、１６…行電極駆動回路、１７…列電極、１８…行電極、１９…プラズマディスプレイパネル、２０…バス、２１…制御装置、２２…マイコン、２３…ＲＯＭ、２４…ＲＡＭ、２５…リモコンＩ／Ｆ、２６…操作パネル、２７…ＯＳＤ、２８…リモコン、２９…ガラス基板、３０…予備放電用電極、３１…背面ガラス基板、３２…フレーム、３３…開口部、３４…色センサー、３５…ホワイトバランス調整回路、３６…ホワイトバランス変換回路、３７…入出力関係特定部、３８…ホワイトバランス調整画面生成回路、３９、４０、４１…乗算器、４２…係数入力回路、４３…輝度算定回路
【図１】
2008042637.tif 000003
【図２】
2008042637.tif 000004
【図３】
2008042637.tif 000005
【図４】
2008042637.tif 000006
【図５】
2008042637.tif 000007
【図６】
2008042637.tif 000008
【図７】
2008042637.tif 000009
【図８】
2008042637.tif 000010
【図９】
2008042637.tif 000011
【図１０】
2008042637.tif 000012
【図１１】
2008042637.tif 000013
【図１２】
2008042637.tif 000014
【図１３】
2008042637.tif 000015
【図１４】
2008042637.tif 000016
【図１５】
2008042637.tif 000017
【図１６】
2008042637.tif 000018